(57)【要約】      （修正有）【課題】占いの鑑定結果が検証でき、口頭では伝わりにくい鑑定結果の詳細が分かるように、月別カレンダーを利用して、日付および暦に関する情報とは別の目的で楽しむ事ができる未来カレンダーを提供する。【解決手段】各占術により導き出された占い結果の内容をもとに、占い鑑定を受ける側に鑑定結果の詳細を分りやすく伝え、常に占い結果の検証が可能である事が特徴です。さらに、鑑定を受ける側にとってはオリジナル性が増すカレンダーとなるため、従来形態のカレンダーと競合することなく使用することができます。また、日々鑑定結果が確認できるカレンダーとなるため、占い結果に感情移入しやすく、鑑定を受ける側の長所を伸ばし短所を矯正するように構成することで、鑑定を受ける側の未来が良い方向にいく可能性が高まります。【選択図】図１
0003129743.tif 000002
【実用新案登録請求の範囲】
【請求項１】
複数枚綴った月別カレンダーの表紙部分には、各種占術によって導き出された占いの鑑定結果をもとに、占い鑑定を受ける側の本質や才能、誕生時に備わった健康運、家庭運、仕事運、金運、結婚運、愛情運など宿命的要素の強い鑑定結果を記載し、中綴じ部分にはカレンダーに記載された各月の運勢や、鑑定結果によって導き出された運命的要素が強い未来予測をもとにしたアドバイス等を記載する、個別注文を主としたカレンダーという構造を有する未来カレンダー
【請求項２】
前記カレンダーには、表紙部分と中綴じ部分の各月に、占い鑑定を受ける側にとって、オリジナル性と保存価値の高い個性的なカレンダーとするために、占い鑑定を受ける側の写真や似顔絵が印刷されることを特徴とする、個別注文を主としたカレンダーという構造を有する請求項１記載の未来カレンダー。
【考案の詳細な説明】
【技術分野】
【０００１】  本考案は、カレンダーの形状を用いて、各種占術により導き出された占いの鑑定結果を記録に残して、鑑定を受ける側に分りやすく伝え、カレンダーとしての使用目的が終了した後でも、鑑定結果が記載されたカレンダーを記録として保存する事に関するものである。
【背景技術】
【０００２】  従来の占い鑑定では、記録に残す事より記憶に残す事に重点が置かれ、鑑定を受ける側からすると記録に残らない記憶のみの占い鑑定では、宿命や未来の鑑定結果を占い師から告げられても、鑑定時点では全ての結果を検証することは不可能であり、未来の時点になってから曖昧な記憶だけを頼りに検証してきました。【０００３】  また、日常生活に欠かす事が出来ないカレンダーも、実用性や美観性を追求した数多くの種類が存在しますが、主は暦を見る目的で使われている為、月が代わって使用済みになるとカレンダーとしての利用価値が無くなり、捨てられる場合が多く、結局のところカレンダーとしての利用のみに止まっていました。
【考案の開示】
【考案が解決しようとする課題】
【０００４】  記憶は時間が経てば曖昧になり、占い師が責任を持った占い鑑定を行う為にも、占い結果を記録に残すことが重要な課題としてありました。また、実用性本位と装飾観賞用のものに大別されるカレンダーが果たす機能として、各自がカレンダーに記載したメモ書きや行動予定、各記念日などの全ての情報記録が、各個人の人生史において記録としての重要性があるにもかかわらず、過去の思い出の軌跡となるはずのカレンダーが、記念品としての永久的な保存価値を有しないことに課題がありました。
【課題を解決するための手段】
【０００５】  本考案は上記課題を解決する手段として、請求項１に記載された考案は、カレンダーを用いて占いの鑑定記録を残すことで、鑑定を受ける側に結果を分りやすく伝え、占い鑑定で導き出された未来予測をカレンダーによって常に確認することができます。占い師も記録に残ることで真剣に鑑定をすることになります。【０００６】  さらに、鑑定内容をもとにしたアドバイスを、鑑定を受ける側の長所を伸ばし短所を矯正するように記載したり、持って生まれた才能を伸ばすように記載する事で、鑑定を受ける側の未来が良い方向にいく可能性が高まり、鑑定結果を検証しながら人生の軌道修正に役立てる事が可能な未来カレンダーになります。【０００７】  また、請求項２に記載された考案は、鑑定を受ける側の人の写真や似顔絵が、表紙や中綴じに印刷されることでオリジナル感が増し、通常は継続的に使用されているものを押し退けることが至難であるはずのカレンダーが、従来形態のものと競合することなく、追加使用や並存使用されるような物となり、世界で唯一となる自身の未来予測が記載されたカレンダーとして保存価値が高く、廃棄や不使用といった無駄のない未来カレンダーになります。
【考案の効果】
【０００８】  本考案の占い結果をカレンダーを用いて記録に残すことで、鑑定を受ける側には記憶の曖昧さが消えて常に占い結果を検証し、詳細を理解する事ができ、自身の幸せな未来をイメージすることができます。占い師も記録に残ることで、未来予測を外した場合は占い師の名誉に関わる問題のため、占い師が緊張感と責任感を持って鑑定することで高品質な鑑定になります。【０００９】  また、鑑定を受ける側にとっては自分だけのオリジナルカレンダーとなるため、愛着を持って使用することで、カレンダーとしての使用目的が終了した後でも、記念品として保存する可能性が高くなり、その結果カレンダーに記載されたメモや記念日など、全ての情報が日記と同等の効果がある付加価値の付いたオリジナルカレンダーとして、さらに保存価値が高まる事になります。
【考案を実施するための最良の形態】
【００１０】  以下、図面を参照しつつ、本考案の好ましい一実施形態である月別カレンダーの一例を示します。  図１と図２は、月別カレンダーの一般的なカレンダーに、本考案を適用した実施例である。
図１は、本考案の一実施例たる未来カレンダーの表紙部分であり、表紙Ａには占い鑑定を受ける人の似顔絵１と名前２が印刷されています。似顔絵１の変わりには鑑定を受ける人の写真を画像データーとしてコンピューターに取り込み、印刷して置き換えても良い。【００１１】  また、図１の占い鑑定結果による文面３は、占い師が各占術によって導き出した鑑定結果の全てをもとに、鑑定を受ける側の長所や短所、本質や才能、誕生時に備わった健康運、家庭運、仕事運、金運、結婚運、愛情運等の、宿命定要素が強い鑑定結果を記載し、印刷していきます。【００１２】  図２は、未来カレンダーの本文中の１ページを抜粋したものです。中綴じ部分Ｂには、表紙部分と違う似顔絵４が印刷されます。似顔絵４の変わりには鑑定を受ける人の写真を画像データーとしてコンピューターに取り込み、印刷して置き換えても良い。鑑定結果による文面５は、鑑定を受ける側の各月の運勢を分かりやすく端的に伝え、文面６は鑑定結果をもとにした未来へのアドバイスが記載し印刷されています。日付欄７は、暦情報が印刷された面である。
【実施形態の効果】
【００１３】  この実施形態によれば、鑑定を受ける側が自分の未来に感情移入がしやすく、未来に希望を持って日々過ごすことができます。また、鑑定を受ける側が子供である場合、本人以外の周囲が読み聞かす事で、子供の未来に周囲も感情移入しやすく、愛情深く育てる事ができます。また、鑑定を受ける側が夫婦である場合、夫婦間で読み語り合うことで夢や目標が共感でき、夫婦の未来に希望を持って愛を育むことができます。さらに、保存に関しても保存場所を取らず、各年度のカレンダーの保存が可能になります。
【他の実施形態】
【００１４】  図１の実施形態では、全て印刷により完成された表紙部分ですが、占い鑑定の内容に関しては、占い師が手書きで、鑑定結果を分りやすく伝えるものでも良い。
【図面の簡単な説明】
【００１５】
【図１】未来カレンダーの表紙部分を示した正面図である。
【図２】未来カレンダーの本文中の１ページを一例として示す正面図である。
【符号の説明】
【００１６】    Ａ  表紙部分
１  鑑定を受ける側の似顔絵
２  鑑定を受ける側の氏名
３  鑑定結果の文面
Ｂ  中綴じ部分
４  鑑定を受ける側の似顔絵
５  鑑定結果の文面
６  鑑定結果から導き出されたアドバイスの文面
７  日付欄
【図１】
0003129743.tif 000003
【図２】
0003129743.tif 000004
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
複数枚綴った月別カレンダーの表紙部分には、各種占術によって導き出された占いの鑑定結果をもとに、占い鑑定を受ける側の本質や才能、誕生時に備わった健康運、家庭運、仕事運、金運、結婚運、愛情運など宿命的要素の強い鑑定結果を記載し、中綴じ部分にはカレンダーに記載された各月の運勢や、鑑定結果によって導き出された運命的要素が強い未来予測をもとにしたアドバイス等を記載する、長方形の形状をした未来カレンダー。
【請求項２】
前記カレンダーには、表紙部分と中綴じ部分の各月に、占い鑑定を受ける側にとって、オリジナル性と保存価値の高い個性的なカレンダーとするために、占い鑑定を受ける側の写真や似顔絵が印刷されることを特徴とする、請求項１記載の未来カレンダー。